(57)【特許請求の範囲】
【請求項１】
複数の柱部を所定の間隔で配設してなる雨水等の貯留及び浸透施設用充填体に取り付ける土砂浸入防止板であって、前記土砂浸入防止板は、平面において方形状をなす板体の周縁に設けた縁枠に、前記充填体に係止させるフックと前記フックを嵌入する切欠をそれぞれ各辺に形成してなることを特徴とする雨水等の貯留及び浸透施設用充填体に取り付ける土砂浸入防止板。
【請求項２】
充填体に係止させるフックと前記フックを嵌入する切欠は、各辺の片側にそれぞれ２つずつ形成してなることを特徴とする請求項１に記載の雨水等の貯留及び浸透施設用充填体に取り付ける土砂浸入防止板。
【請求項３】
板体には多数の小孔を穿設し、板体の片面に充填体の柱部を嵌入する円環リブを設け、前記円環リブを縦横及び斜めに設けた補強リブ群によって連結したことを特徴とする請求項１または２に記載の雨水等の貯留及び浸透施設用充填体に取り付ける土砂浸入防止板。
【請求項４】
円環リブの内側にも補強リブを設けたことを特徴とする請求項３に記載の雨水等の貯留及び浸透施設用充填体に取り付ける土砂浸入防止板。
【請求項５】
補強リブ群と縁枠と円環リブとはほぼ同じ高さであるが、円環リブ内側の補強リブの高さは円環リブの高さよりも低く形成されていることを特徴とする請求項３又は４に記載の雨水等の貯留及び浸透施設用充填体に取り付
ける土砂浸入防止板。
【請求項６】
複数の柱部を所定の間隔で配設してなる雨水等の貯留及び浸透施設用充填体に取り付ける土砂浸入防止板であって、前記土砂浸入防止板は、平面方形状枠体の１辺の片面にＴ字型溝を形成したことを特徴とする雨水等の貯留及び浸透施設用充填体に取り付ける土砂浸入防止板。
【請求項７】
Ｔ字型溝は、Ｌ字型突起を対向させて形成してなることを特徴とする請求項６に記載の雨水等の貯留及び浸透施設用充填体に取り付ける土砂浸入防止板。
【請求項８】
平面方形状枠体の内側は、斜めに走るリブを設けて網の目状に形成したことを特徴とする請求項６または７に記載の雨水等の貯留及び浸透施設用充填体に取り付ける土砂浸入防止板。
【請求項９】
平面方形状枠体の内側は、板に小孔を多数穿設してなることを特徴とする請求項６または７に記載の雨水等の貯留及び浸透施設用充填体に取り付ける土砂浸入防止板。
【発明の詳細な説明】
【０００１】
【発明の属する技術分野】
この発明は、住宅地や工場敷地等において雨水等を貯留する施設を施工する際に用いる雨水等の貯留及び浸透施設用充填体に取り付ける土砂浸入防止板に関する。
【０００２】
【従来の技術】
近年、都市部では地表面のほとんどが建物や舗装などの不浸透面で覆われているから、雨水等は地下に浸透せず低地に流入して家屋を浸水させたり、河川を氾濫させる危険が高まっている。また、水の使用量が年々増大しており、水源地での降雨量が少ないと水不足となる危険がある。そのために水対策が大きくクローズアップされてきている。そこで、雨水を一定時間貯留した後、河川等に順次放流したり、積極的に地下に浸透させることにより、雨水等による河川氾濫、家屋の浸水災害を防止したり、さらに、一時貯留した雨水を汲み上げて利用するための雨水等の貯留及び浸透施設が提案されている。
【０００３】
このような雨水等の貯留及び浸透施設として、例えば、特公平４−２６６４８号公報記載の「雨水等の貯留浸透施設」や特公平４−３５５８０号公報記載の「雨水等の貯留浸透タンク」がある。前者の施設は、地面を掘り下げてタンク部を構成し、上記タンク部内に、その底部からグランドライン付近まで、複数の容器状部材を縦横且つ上下に配設して充填し、最上部には被覆手段を施したことを特徴とするものである。一方、後者のタンクは、地面を掘り下げてタンク部を構成し、上記タンク部内に、その底部からグランドライン付近まで、複数の区画に仕切った区画枠体を縦横且つ上下に連設して充填し、最上部には被覆手段を施したことを特徴とするものである。
【０００４】
【発明が解決しようとする課題】
上記構成の「雨水等の貯留浸透施設」等は、一時的には充分に雨水等を貯留し、且つ長期的には雨水を地下に浸透させることができるものの、次のような問題がある。すなわち、前者の「雨水等の貯留浸透施設」にあっては、タンク部内に充填するのは容器状部材であり、前記容器状部材は有底の箱状部材であって、周側板は底部に向かって僅かに縮小するテーパ状に構成されている。これらの部材を縦横且つ上下に配設するとデッドスペースが生じるから、これらの部分を埋めなければならない。
【０００５】
一方、後者の「雨水等の貯留浸透タンク」にあっては、タンク部内に充填するのは枠体であるから、充填は容易であるものの、ネスティングすることができないから、輸送、保管に大きな容積を必要とする。したがって、輸送や保管の費用が高くつくという問題がある。
【０００６】
この発明は、かかる現況に鑑みてなされたもので、雨水等の貯留及び浸透施設を施工する際に用いる充填体に取り付けて土砂の浸入を防止する土砂浸入防止板を提供するものである。
【０００７】
【課題を解決するための手段】
この発明は上記目的を達成するために次のような構成とした。即ち、雨水等の貯留及び浸透施設用充填体に取り付ける土砂浸入防止板は、複数の柱部を所定の間隔で配設してなる雨水等の貯留及び浸透施設用充填体に取り付ける土砂浸入防止板であって、前記土砂浸入防止板は、平面において方形状をなす板体の周縁に設けた縁枠に前記充填体に係止させるフックと、前記フックを嵌入する切欠をそれぞれ各辺に形成してなることを特徴とする。前記充填体に係止させるフックと前記フックを嵌入する切欠は、各辺の片側にそれぞれ２つずつ形成することが好ましい。また、板体には多数の小孔を穿設し、板体の片面に充填体の柱部を嵌入する円環リブを設け、前記円環リブを縦横及び斜めに設けた補強リブ群によって連結する構成とすることができる。また、前記円環リブ内側にも補強リブを設けた場合には、補強リブ群と縁枠と円環リブとはほぼ同じ高さであるが、円環リブ内側の補強リブの高さは円環リブの高さよりも低く形成すればよい。
【０００８】
また、他の雨水等の貯留及び浸透施設用充填体に取り付ける土砂浸入防止板は、複数の柱部を所定の間隔で配設してなる雨水等の貯留及び浸透施設用充填体に取り付ける土砂浸入防止板であって、前記土砂浸入防止板は、平面方形状枠体の１辺の片面にＴ字型溝を形成したことを特徴とする。前記Ｔ字型溝は、Ｌ字型突起を対向させて形成することができる。また、前記平面方形状枠体の内側は、斜めに走るリブを設けて網の目状に形成してもよいし、板に小孔を多数穿設してなる構成としてもよい。
【０００９】
【発明の実施の形態】
以下に、図示する実施形態について詳細に説明する。まず、この発明に係る土砂浸入防止板を取り付ける充填体について説明する。図１は、充填体の第１実施形態を示す。充填体１は、上下面が開口した複数の中空状柱部３を所定の間隔に配設し、前記配設した中空状柱部３の上部同士を連結材である桁５と縁枠７で一体に連結してなる。前記連結材である桁５は縁枠７に対して斜め方向に設けられており、外周側の中空状柱部を連結する縁枠７は、前記桁５と略同じ高さ位置に設けられている。即ち、前記中空状柱部３のうち外周側に位置する中空状柱部３を前記桁とほぼ同じ高さ位置において、平面方形状縁枠７で連結したものである。
【００１０】
従って、前記中空状柱部３は、縁枠７の四隅とその中間部及び中央部に配設されている。そして、前記桁５は縁枠７の側面に対して斜め方向に設けられており、図３に示すように、桁５は四隅の対角を結ぶとともに、中央部においては中間部に位置する中空状柱部３を連結することによって菱形に配設されている。前記中空状柱部３を上記のように配設することによって平面における空隙率を高めることができ、空隙率９５％とすることができる。
【００１１】
前記中空状柱部３は、筒形パイプ１０の上下面を開口してなり、内部には補強リブ１１を設けて形成されている。前記補強リブ１１は、リブ１１ａを平行に設けて対向させ、上部において井桁状に組合せるとともに、対向するリブをそれぞれ連結し、さらに上端を略十字状上板１３によって閉じてなる。前記十字状上板１３は、中空状柱部３の上端よりも僅かに上方に突出している。したがって、前記リブ１１ａが連結した部分では、底面が開口した平面十字状の箱形を形成し、箱形の上部が中空状柱部３の上端から突出して形成されている。このように、筒形パイプ１０の内部に補強リブ１１を設けることにより、強度を増大することができる。尚、前記補強リブ１１は後述するように、任意の形状に変更することが可能であり、また適宜省略してもよい。
【００１２】
前記十字状上板１３の端部には、互いに対向するように嵌合突起１５が突設されている。前記嵌合突起１５は平面においてコ字状をしており、上板１３の端部とほぼ同一幅寸法であってそれぞれ独立して形成されている。充填体１を垂直方向に積み重ねたとき、下段の充填体の嵌合突起１５が上段充填体の中空状柱部３の下端に嵌合することによって固定され、一体に組み立てられる。十字状上板１３と中空状柱部３の内面との間には４つの略三角形空隙１７が形成され、この空隙１７を通って充填体を組み立てたとき、雨水等が連結された中空状柱部３内を流下することが可能になる。
【００１３】
前記中空状柱部３は、上部において前記桁５によって一体に連結している。前記桁５は底面が開口した断面コ字状の二重壁構造体であって上面が前記中空状柱部３の上面から僅かに突出し、十字状上板１３とほぼ同一面に連結されており、内部に補強リブ１９を設けてなる。中空状柱部３の上端と桁５の上面との間には段差があるから、充填体を垂直方向に連結して組み立てたとき中空状柱部３の下端に隙間が形成され、中空状柱部内への雨水等の流入、流出が可能となる。桁５の上面には通気孔２０が設けられている。
【００１４】
尚、前記桁５と前記中空状柱部３との連結位置は、前記中空状柱部３の上部に限定されるものではなく、また、桁５の構造も前記実施形態の他、三重構造でもよく、あるいは、板体を平行に設けて上下を開口させリブで連結した構造であってもよく、その他一枚板など任意の構造体とすることができる。
【００１５】
前記縁枠７は、前記桁５とほぼ同様の構造であって、下面が開口した二重壁構造体である。縁枠７は、内部には補強リブ２１が設けられ、前記中空状柱部３とは四隅の突出部２３とその中間の突出部２５によって連結されている。前記縁枠７は、外周側に位置する中空状柱部３の一方を連結するとともに、充填体同士を並列させたとき相互に密接するように外側面は平面をなさしている。前記縁枠７には、後述する土砂浸入防止板のフックを嵌入する凹部２７と、フックを係止する係止部２９と、連結具挿入用孔３０とが形成されている。前記凹部２７と係止部２９は、それぞれ各辺に２つずつ形成されている。例えば、図１の上辺において、左端には係止部２９を形成し、その内側に所定の間隔をあけて凹部２７を形成してなり、一方、右端には凹部２７を形成し、その内側に所定の間隔をあけて係止部２９を形成してなる。他の辺においても凹部２７と係止部２９の位置関係及び間隔は同様に形成してなる。
【００１６】
前記凹部２７は、図４に示すように、縁枠７の外側角部を切り欠いた段部２７ａとすることによって形成されている。また、前記係止部２９は、図５に示すように、前記凹部２７と同じく縁枠７の外側角部を切り欠いた段部２７ａの端縁部に突起２９ａを設けることによって形成されている。前記突起２９ａに土砂浸入防止板のフックを係止させることによって取り付けられる。また、連結具挿入用孔３０は、図６に示すように、縁枠７の上面に側面と平行に設けた水平方向のスリット３０ａと、外側面に前記スリット３０ａと連通する縦方向のスリット３０ｂによって形成されている。
【００１７】
次に、図７〜図１２に基づいて、上記充填体１に取り付けられる土砂浸入防止板３１について説明する。前記土砂浸入防止板３１は、平面を前記充填体１とほぼ同じ大きさである板体３３の片面に中空状柱部３を嵌入する円環リブ３５を設け、前記円環リブ３５を縦横及び斜めに設けた補強リブ群３７によって連結するとともに、板体３３の周縁に縁枠３９を設けてなる。前記円環リブ３５は、中空状柱部３の下端部を挿入可能な大きさに形成されている。円環リブ３５の内側にも前記縦横の補強リブを延長して補強リブ４０を設けてなる。前記補強リブ群３７と縁枠３９は円環リブ３５と同じ高さである。一方、円環リブ３５内の補強リブ４０は、中空状柱部３を嵌入するために高さが低く、補強リブ群３７の約半分の高さに形成されている。前記板体３３には各リブの間に雨水等が流入する多数の小孔４１が穿設されている。
【００１８】
前記縁枠３９には、上記充填体１の係止部２９に係止させるフック４３と、前記フック４３を嵌入する切欠４５が形成されている。前記フック４３と切欠４５は、それぞれ各辺に２つずつ形成されており、例えば、図８の下辺において、左端には切欠４５を形成し、その内側に所定の間隔をあけてフック４３を形成し、右端にはフック４３を形成し、その内側に所定の間隔をあけて切欠４５を形成してなる。他の辺においても前記フック４３と切欠４５との関係は同じである。前記切欠４５の深さはフック４３の突出高さとほぼ同じか、僅かに深く形成されている。
【００１９】
前記フック４３と切欠４５との位置関係及び間隔は、上記凹部２７と係止部２９の位置関係及び間隔と同じである。土砂浸入防止板３１を充填体１の上面に蓋として使用した場合には、前記フック４３は凹部２７に嵌入して固定され、土砂浸入防止板３１を充填体１の側面に取り付けた場合には、フック４３が係止部２９の突起２９ａに係止することによって垂下される（図１２参照）。また、前記フック４３と切欠４５を上記構成とすることによって、前記土砂浸入防止板３１同士のフックを突設した面を互いに向かい合わせて突き合わせた場合でも、一方のフック４３が他方の切欠４５内に嵌入され、互いにフック４３を収納した状態で保管、運搬することができる。
【００２０】
さらに、前記充填体１を並列した状態で敷き並べて固定する場合は、図１４に示すような連結具を使用すればよい。即ち、Ｈ型連結具４７は、平行板４７ａと前記平行板４７ａと直角に連結する連結板４７ｂとからなる。まず、前記充填体１を水平方向に並列に敷き並べて、図１３に示すように、連結具挿入用孔３０同士を突き合わせ、それぞれの水平方向のスリット３０ａに平行板４７ａを挿入すると同時に、縦方向のスリット３０ｂに連結板４７ｂを挿入すればよい。このような連結方法によって、平行板４７ａが充填体１同士の離反を防止し、縦方向のスリット３０ｂに挿入された連結板４７ｂが、スライド方向のズレを防止する。このような連結方法によって、隣接する充填体１同士を一体に連結することができる。
【００２１】
図１５〜図２１は、充填体の第２実施形態を示す。充填体１と基本的構成は同じであるから、同一構成については同一符号を付し、異なる構成について説明する。充填体５０は、充填体１とは中空状柱部の上部構造と、縁枠における連結の構造が異なる。中空状柱部５１は、筒形パイプ５３の上部を前記筒形パイプ５３の内径よりも僅かに外径を小さく形成してなる。即ち、中空状柱部５１の上部は、筒形パイプ５３の下端部が嵌合可能とした小径部５５とし、桁５の上面と同一面とする段部５７を形成してなる。さらに、筒形パイプ５３の内部には補強リブ１１を設けてなる。前記小径部５５は桁５の上面に突出しており、積み重ねたとき上段の筒形パイプ５３の下端部が嵌合するように構成されている。前記補強リブ１１の構成は、第１実施形態において説明した。尚、前記桁５と前記中空状柱部５１との連結位置は、前記中空状柱部５１の上部に限定されるものではない。
【００２２】
前記縁枠７は、外周側に位置する中空状柱部５１を連結している。縁枠７の外側面は、充填体同士を並列させたとき相互に密接するように平面に形成されている。前記縁枠７の外側面には係合部５９が形成されている。係合部５９は、図１５の上辺に示すように、左側角部寄りに突設したつめ６０と、右側角部寄りに形成したつめ用係止部６１とからなる。前記つめ６０は、下向きつめ６０ａと上向きつめ６０ｂとからなり、図１６に示すように、縦方向において互いにその位置をずらして突設されている。また、前記つめ用係止部６１は、上向き係止部６１ａと下向き係止部６１ｂとからなり、つめ６０と同様な間隔でずらして形成されている。
【００２３】
前記上向き係止部６１ａは、図１８に示すように、断面コ字状縁枠７の上面からつめ６０の幅よりも広い幅で凹ませた凹部６１ｃの端縁部に突起６１ｄを設けることによって形成されている。下向きつめ６０ａが前記凹部６１ｃに嵌合するとともに、突起６１ｄに係合する。一方、前記下向き係止部６１ｂは、図１９に示すように、断面コ字状縁枠７の下面からつめ６０の幅よりも広い幅で凹ませた切欠部６１ｅを設け、内面にリブ６１ｆを設けることによって形成されている。上向きつめ６０ｂが切欠部６１ｅに嵌合するとともに、リブ６１ｆに係合する。
【００２４】
したがって、上記充填体５０を水平方向に並列させると、図２０に示すように、互いに下向きつめ６０ａが隣接する上向き係止部６１ａに係合し、上向きつめ６０ｂが隣接する下向き係止部６１ｂに係合することによって一体に連結することができる。また、上記充填体５０を垂直方向に積み重ねると、図２１に示すように、中空状柱部５１の小径部５５に上段の中空状柱部５１の筒形パイプ５３の下端が嵌合することによって一体に連結される。このように充填体５０は、水平方向と垂直方向において一体に連結されることにより全体としてズレが防止され高強度の構造物とすることができる。
【００２５】
次に、図２２は、充填体の第３実施形態を示す。充填体６３は、基本的には上記実施形態と同様であるから同一構成については同一符号を付し、異なる構成についてのみ説明する。上下面が開口した複数の中空状柱部６５の上部を桁５で所定間隔に連結し、前記中空状柱部６５のうち外周側に位置する中空状柱部６５を平面方形状断面コ字状縁枠７で連結固定してなる。前記中空状柱部６５を構成する筒形パイプ６７の下部を縮径して小径部６９となし、下段の充填体の筒形パイプ６７の上端部に嵌合可能に形成してなる。筒形パイプ６７の内部には補強リブ７０を設ける。補強リブ７０は、図２３に示すように、リブ７０ａを交差させ十字状に組合せるとともに、上部において対向するリブをそれぞれ連結している。尚、補強リブ７０は省略することが可能であるとともに、補強リブ１１に変更することも可能である。
【００２６】
上記充填体６３を上下に積み重ねると、図２４に示すように、小径部６９が下段の中空状柱部６５の筒形パイプ６７の上部に嵌合して一体に連結される。この実施形態においては、充填体６３を水平方向において一体に連結する係合部７１は入れ子方式に構成されている。即ち、係合部７１は、断面コ字状縁枠７の一方の側面にＴ字型突起７３を設け、対向する側面に前記Ｔ字型突起７３が嵌合可能なＴ字型溝７５を設けてなる。前記Ｔ字型溝７５に水平方向において隣接する充填体６３のＴ字型突起７３を上方から挿入することによって一体に連結される。
【００２７】
次に、図２５は、充填体の第４実施形態を示す。充填体７７は、中空状柱部７９は下端部に向かって次第に縮径した形状の筒形パイプ８０とした点において上記実施形態と異なっている。他の構成については第１〜３実施形態と同様であるから、同一符号を付してその説明は省略する。この実施形態において筒形パイプ８０内に補強リブ１１、補強リブ７０を設けた中空状柱部７９とした場合には、垂直方向に積み重ねる際に、筒形パイプ８０の下端部を下段の中空状柱部７９の上部に嵌合させて一体に連結することができる。
【００２８】
しかしながら、前記補強リブ１１、補強リブ７０を省略した場合には完全な中空体となるから、筒形パイプ８０同士が嵌合することになり、垂直方向に積み重ねることができない。そこで、上段の中空状柱部７９の下面と下段の中空状柱部７９の上面との間にアダプターを介在させることが好ましい。アダプターは、たとえば、図２６に示すような構造のものを用いることができる。アダプター８１は、筒形パイプ８０の上端部に嵌入する挿入部８３の外面に筒形パイプ８０の上端面に載置する係止部８５を設け、挿入部８３の内面に設けた十字状の補強リブ８７の上面に中空状柱部７９の下端部に嵌入する挿入部８９を突設してなる。このようなアダプター８１を用いることによって、充填体７７を垂直方向に積み重ねて一体に連結することができる。また、筒形パイプ８０内に補強リブ１１、補強リブ７０を設けた中空状柱部７９とした場合にも、前記アダプター８１を用いてもよい。
【００２９】
上記第１〜第４実施形態において、運搬、保管する際には、中空状柱部を桁と桁との間の空隙に挿入することにより容積を減少させることができ、効率よく運搬、保管することができる。
【００３０】
図２７及び図２８は、充填体の第５実施形態を示す。上記第１〜第４実施形態が中空状柱部を桁５と断面コ字状縁枠７によって連結しているのに対して、充填体９０は、中空状柱部９１の上部を連結板９５で連結している。連結板９５は、小孔９３が穿設されており、外周面を下向きに連結した側板９７で縁取りされている。即ち、中空状柱部９１の上面を連結板９５から開口させてなる。中空状柱部９１は、上記中空状柱部７９と同様の構造に形成されている。尚、中空状柱部９１の構造は上記いずれの実施形態の場合と同様に変更することが可能である。
【００３１】
前記側板９７の外面には、入れ子式係合部９９が設けられている。係合部９９は、一辺の一方の角部寄りにＴ字型突起１００を突設し、他方の角部寄りにＬ字型突起を対向させてなるＴ字型溝１０１を設けることによって構成されている。充填体９０を並列させたとき、Ｔ字型突起１００がＴ字型溝１０１に嵌合して一体に組み立てられる。上記充填体９０を垂直方向に積み重ねるには、図２５に示す第４実施形態と同様にアダプター８１を用いて行えばよく、また、水平方向に並設するには側面に設けた係合部９９により一体に連結すればよい。
【００３２】
図２９は、充填体の第６実施形態を示す。充填体１０３は、図２７に示す第５実施形態における中空状柱部９１を角形パイプ１０５とした点のみが異なっている。他の構成については同様であるから同一の符号を付してその説明は省略する。上記充填体９０、１０３を輸送、保管する場合には、中空状柱部同士を嵌合させて積み重ねてもよいが、中空状柱部同士を向かい合わせて互いの空隙部に挿入してもよく、ほぼ２分の１の容積率とすることができる。
【００３３】
尚、上記中空状柱部の断面形状は、実施形態のような円形、四角形の他、三角形、多角形、楕円形等任意の形状とすることができる。また、中空状柱部を構成するパイプ及び補強リブの構造あるいは係合部の構造等は適宜組み合わせて実施できることは勿論である。また、上記実施形態ではいずれも充填体の平面形状は方形状としたが、これに限定されるものではなく平面三角形、多角形、円形等任意の形状とすることができる。
【００３４】
次に、上記第３〜６実施形態の充填体に使用する土砂浸入防止板の一例について説明する。図３０は、図２２に示す第３実施形態の充填体に使用する土砂浸入防止板の一例を示す。土砂浸入防止板１１０は、枠体１１１の内部に斜めに走るリブ１１３を設けて網の目状に形成し、枠体１１１の側面にはＴ字型溝７５と同様にＬ字型突起を対向させてなるＴ字型溝１１５を形成してなる。前記Ｔ字型溝１１５に前記Ｔ字型突起７３が挿入される。前記Ｔ字型溝１１５は、使用する充填体の係合部の構造に合わせて変更すればよい。また、リブ構造ではなく土砂浸入防止板３１のように板に小孔を多数穿設した構造としてもよい。
【００３５】
次に、図１に示す充填体と図７に示す土砂浸入防止板３１とを用いた雨水等の貯留及び浸透施設について説明する。まず、図３１に示すように、地面１１７を掘り下げることによって地中に貯水槽１１９を形成する。前記貯水槽１１９の底部に砂利等１２４を敷き詰め、必要に応じて後述する土砂浸入防止板３１等の通水可能な基板３１ａを敷き並べ、その上に水平方向に並べるとともに、垂直方向に段積みした充填体１とからなる。
【００３６】
前記充填体１は、例えば、充填体１の縁枠に連結具挿入用孔を設け、前記連結具挿入用孔に挿入される連結具を用いて一体に連結することができる。前記充填体１は、水溜用の空隙を形成し、これらの空隙が連通することによって水溜用空間となる。
【００３７】
垂直方向及び水平方向に連結された充填体１の積層体の外周面に土砂浸入防止板３１を取り付ける。さらに、上部に位置する充填体１の上面からの土砂の浸入を防止するために蓋として、土砂浸入防止板３１を載置する。その後、外周部に埋め戻し土砂１２０を充填し、上部には土砂による被覆層１２１を設ければよい。前記貯水槽１１９には、住宅地等の側溝、家屋の雨樋等に通じる雨水等の流入口１２３が設けられている。
【００３８】
上記構成の雨水等の貯留施設及び浸透施設にあっては、雨水は上部被覆層１２１から浸透するとともに、流入口１２３から流入して貯水槽１１９内に貯留される。充填体１は充分な空隙率を有するから、有効に貯留することができるとともに、時間の経過にともなって貯水槽１１９の側面及び底面から雨水等が徐々に地中に浸透する。したがって、集中豪雨があっても一時的に雨水等をこの貯水槽１１９内に貯留させることができるから、家屋を浸水させたり、河川を氾濫させることがなく、また、地中に浸透させることにより地下水の涵養が可能となる。
【００３９】
次に、雨水等の貯留施設とした実施形態について説明すると、まず、図３２に示すように、地面１１７を掘り下げることによって地中に貯水槽１１９を形成する。前記貯水槽１１９の内周面における底部及び壁面をコンクリート、樹脂シート等による不透水層１２５を形成する。その後、これらの貯水槽１１９の中に充填体１を充填する。
【００４０】
その後、垂直方向及び水平方向に連結された充填体１の積層体の上部に土砂浸入防止板３１を載置して土砂による被覆層１２１を設けるか、コンクリート等による不透水層を設ける。前記貯水槽１１９には、住宅地等の側溝、家屋の雨樋等に通じる雨水等の流入口１２３を設けるとともに、雨水等を外部に汲み上げるための取水用パイプ１２７を配設してなる。
【００４１】
上記第２実施形態の雨水等の貯留施設にあっては、雨水等をこの地下貯水タンク内に貯留させることができるから、家屋を浸水させたり、河川を氾濫させることがない。また、取水用パイプ１２７を介して貯留水を適宜汲み上げることにより、水資源の有効な利用を図ることができる。
【００４２】
【発明の効果】
この発明にかかる雨水等の貯留施設及び浸透施設用充填材に取り付ける土砂浸入防止板を使用することによって、施設内への土砂の浸入を防止することができる。
【図面の簡単な説明】
【図１】  この発明の土砂浸入防止板を取り付ける充填体の第１実施形態を示し、上半分が平面図、下半分が底面図である。
【図２】  図１の一部を断面した側面図である。
【図３】  中空状柱部と連結材である桁を示す一部を断面した要部斜視図である。
【図４】  （ａ）は凹部の断面図、（ｂ）は凹部の斜視図である。
【図５】  （ａ）は係止部の断面図、（ｂ）は係止部の斜視図である。
【図６】  （ａ）は連結具挿入用孔の断面図、（ｂ）は連結具挿入用孔の斜視図である。
【図７】  この発明の土砂浸入防止板を示し、上半分が平面図、下半分が底面図である。
【図８】  土砂浸入防止板の側面図である。
【図９】  土砂浸入防止板の隅部における内面構造の拡大斜視図である。
【図１０】  フックと切欠との関係を示す説明用要部断面図である。
【図１１】  円環リブの外側の補強リブ群と内側の補強リブとの関係を示す説明用要部断面図である。
【図１２】  充填体と土砂浸入防止板との係合状態を示す説明用要部断面図である。
【図１３】  充填体同士を水平方向に連結する際の連結具の挿入を示す説明用要部断面図である。
【図１４】  Ｈ型連結具の斜視図である。
【図１５】  充填体の第２実施形態を示し、上半分が平面図、下半分が底面図である。
【図１６】  図１５の側面図である。
【図１７】  中空状柱部と連結材である桁を示す一部を断面した要部斜視図である。
【図１８】  係合部における上向き係止部を示す断面斜視図である。
【図１９】  係合部における下向き係止部を示す断面斜視図である。
【図２０】  係合部における係合状態を示す説明用断面図である。
【図２１】  中空状柱部の嵌合状態を示す要部断面図である。
【図２２】  充填体の第３実施形態を示す上面斜視図である。
【図２３】  この発明の中空状柱部における補強リブの他の実施形態を示す上面斜視図である。
【図２４】  中空状柱部の嵌合状態を示す要部断面図である。
【図２５】  充填体の第４実施形態を示す上面斜視図である。
【図２６】  中空状柱部をアダプターを用いて積み重ねた状態の要部断面図である。
【図２７】  充填体の第５実施形態を示す上面斜視図である。
【図２８】  図２７の要部断面図である。
【図２９】  充填体の第６実施形態を示す上面斜視図である。
【図３０】  土砂浸入防止板の他の例を示す説明用斜視図である。
【図３１】  雨水等の浸透施設を示す説明用断面図である。
【図３２】  雨水等の貯留施設の実施形態を示す説明用断面図である。
【符号の説明】
１  充填体
３  中空状柱部
５  桁
７  縁枠
１０  筒形パイプ
１１  補強リブ
１１ａ  リブ
１３  十字状上板
１５  嵌合突起
１７  略三角形空隙
１９  補強リブ
２０  通気孔
２１  補強リブ
２３  突出部
２５  突出部
２７  凹部
２７ａ  段部
２９  係止部
２９ａ  突起
３０  連結具挿入用孔
３０ａ  水平方向のスリット
３０ｂ  縦方向のスリット
３１  土砂浸入防止板
３３  板体
３５  円環リブ
３７  補強リブ群
３９  縁枠
４０  補強リブ
４１  小孔
４３  フック
４５  切欠
４７  Ｈ型連結具
４７ａ  平行板
４７ｂ  連結板
５０  充填体
５１  中空状柱部
５３  筒形パイプ
５５  小径部
５７  段部
５９  係合部
６０  つめ
６０ａ  下向きつめ
６０ｂ  上向きつめ
６１  つめ用係止部
６１ａ  上向き係止部
６１ｂ  下向き係止部
６１ｃ  凹部
６１ｄ  突起
６１ｅ  切欠部
６１ｆ  リブ
６３  充填体
６５  中空状柱部
６７  筒形パイプ
６９  小径部
７０  補強リブ
７０ａ  リブ
７１  係合部
７３  Ｔ字型突起
７５  Ｔ字型溝
７７  充填体
７９  中空状柱部
８０  筒形パイプ
８１  アダプター
８３  挿入部
８５  係止部
８７  補強リブ
８９  挿入部
９０  充填体
９１  中空状柱部
９３  小孔
９５  連結板
９７  側板
９９  入れ子式係合部
１００  Ｔ字型突起
１０１  Ｔ字型溝
１０３  充填体
１０５  角形パイプ
１１０  土砂浸入防止板
１１１  枠体
１１３  リブ
１１５  係合用突起
１１７  地面
１１９  貯水槽
１２０  土砂
１２１  被覆層
１２３  流入口
１２５  不透水層
１２７  取水用パイプ
【図１】
0003867960.tif 000002
【図２】
0003867960.tif 000003
【図３】
0003867960.tif 000004
【図４】
0003867960.tif 000005
【図５】
0003867960.tif 000006
【図６】
0003867960.tif 000007
【図７】
0003867960.tif 000008
【図８】
0003867960.tif 000009
【図９】
0003867960.tif 000010
【図１０】
0003867960.tif 000011
【図１１】
0003867960.tif 000012
【図１２】
0003867960.tif 000013
【図１３】
0003867960.tif 000014
【図１４】
0003867960.tif 000015
【図１５】
0003867960.tif 000016
【図１６】
0003867960.tif 000017
【図１７】
0003867960.tif 000018
【図１８】
0003867960.tif 000019
【図１９】
0003867960.tif 000020
【図２０】
0003867960.tif 000021
【図２１】
0003867960.tif 000022
【図２２】
0003867960.tif 000023
【図２３】
0003867960.tif 000024
【図２４】
0003867960.tif 000025
【図２５】
0003867960.tif 000026
【図２６】
0003867960.tif 000027
【図２７】
0003867960.tif 000028
【図２８】
0003867960.tif 000029
【図２９】
0003867960.tif 000030
【図３０】
0003867960.tif 000031
【図３１】
0003867960.tif 000032
【図３２】
0003867960.tif 000033